(57)【要約】【課題】熱伝達効率を極大化させ，システム全体の体積を減らすことの可能な燃料電池システム用改質装置を提供する。【解決手段】燃料電池システム用改質装置は，触媒層３８が収容される内部空間４３を有するプレートタイプの反応器本体４１を含み，反応器本体４１は，分離形成される複数のプレート３１，３２と，プレート３１，３２の間に形成されてこのプレート３１，３２を一体に固定させる接合部３５と，触媒を投入するための開口部４５に結合されて，開口部４５をシーリングする閉口ユニット４７を含む。【選択図】図３
2006294624.tif 000002
【特許請求の範囲】
【請求項１】
触媒層が収容される内部空間を有するプレート形状の反応器本体を含み，
前記反応器本体は，
分離形成される複数のプレートと；
前記プレートの間に形成され，前記プレートを一体に固定する接合部と；
触媒を投入するための開口部と嵌合し，前記開口部をシールする閉口ユニットと；
を含むことを特徴とする，燃料電池システム用改質装置。
【請求項２】
前記閉口ユニットは，溶接によって前記複数のプレートに固定されることを特徴とする，請求項１に記載の燃料電池システム用改質装置。
【請求項３】
前記複数のプレートは，
前記内部空間を形成するための凹部を有する第１金属プレートと；
前記凹部をカバーし，前記第１金属プレートに密着するように配置される第２金属プレートと；
を含み，
前記開口部は，前記凹部の周縁に沿って配置される前記第１金属プレートの側壁の一部を切開することにより形成されることを特徴とする，請求項１または２に記載の燃料電池システム用改質装置。
【請求項４】
前記閉口ユニットは，前記開口部の形状に対応するブロックにより形成され，前記開口部に嵌合されることを特徴とする，請求項３に記載の燃料電池システム用改質装置。
【請求項５】
前記複数のプレートは，
前記内部空間を形成する複数のチャンネルを有する第１金属プレートと；
前記複数のチャンネルをカバーし，前記第１金属プレートに密着する第２金属プレートと；
を含み，
前記複数のチャンネルは，任意の間隔をおいて，前記第１金属プレートの，前記第２金属プレートと対向する一面に配置される複数のリブによって形成され，
前記開口部は，前記複数のチャンネルの一側端が開放されて形成されることを特徴とする，請求項１に記載の燃料電池システム用改質装置。
【請求項６】
前記閉口ユニットは，棒形状のブロックで形成され，前記開口部をカバーし，前記第１金属プレートおよび前記第２金属プレートに固定されることを特徴とする，請求項５に記載の燃料電池システム用改質装置。
【請求項７】
相隣接する前記プレートの間に，前記プレートを接合させる金属薄板を介在させ，
前記金属薄板を熱によって溶融させることにより前記接合部を形成することを特徴とする，請求項１〜６のいずれかに記載の燃料電池システム用改質装置。
【請求項８】
前記複数のプレートは，ステレンス鋼またはアルミニウムから形成されることを特徴とする，請求項１〜７のいずれかに記載の燃料電池システム用改質装置。
【請求項９】
前記金属薄板は，前記複数のプレートより溶融点の低い素材からなることを特徴とする，請求項７に記載の燃料電池システム用改質装置。
【請求項１０】
前記触媒層は，前記内部空間に充填されたペレット状の触媒によって形成されることを特徴とする，請求項１〜９のいずれかに記載の燃料電池システム用改質装置。
【請求項１１】
前記反応器本体を複数個備えることを特徴とする，請求項１〜１０のいずれかに記載の燃料電池システム用改質装置。
【発明の詳細な説明】
【技術分野】
【０００１】
本発明は燃料電池システムに係り，特に，燃料電池システムの，燃料から水素を発生させるプレートタイプの改質装置に関するものである。
【背景技術】
【０００２】
燃料電池（Ｆｕｅｌ  Ｃｅｌｌ）は，周知のように，メタノール，エタノール，天然ガス等の燃料と酸素とを利用して電気エネルギーを発生させる発電システムである。
【０００３】
このような燃料電池において，近年開発されている高分子電解質形燃料電池（Ｐｏｌｙｍｅｒ  Ｅｌｅｃｔｒｏｌｙｔｅ  Ｍｅｍｂｒａｎｅ  Ｆｕｅｌ  Ｃｅｌｌ：ＰＥＭＦＣ  ，以下，「ＰＥＭＦＣ」という。）は，出力特性が優れており，作動温度が低いと同時に速い始動および応答特性を有する。このため，高分子電解質形燃料電池は，自動車のような移動用電源はもちろん，住宅，公共建物のような分散用電源および電子機器用のような小型電源など，その応用範囲が広いという長所を有する。
【０００４】
ＰＥＭＦＣは，基本的に，システムを構成するためにスタック（ｓｔａｃｋ），改質装置（Ｒｅｆｏｒｍｅｒ），燃料タンクなどを備える。スタックは，水素と酸素との反応により電気エネルギーを発生させる燃料電池の本体を形成し，燃料ポンプは，燃料タンク内の燃料を改質装置に供給する。そして，改質装置は，燃料を改質して水素を発生させ，この水素をスタックに供給する。
【０００５】
このような燃料電池システムにおいて，改質装置は，熱エネルギーによる化学触媒反応を通じて燃料から水素を発生させる。すなわち，燃料を利用して熱エネルギーを発生させ，この熱エネルギーによる燃料の改質反応を通じて水素を発生させ，水素に含まれている一酸化炭素の濃度を低減させる複数の燃料処理ユニットとして構成することができる。
【発明の開示】
【発明が解決しようとする課題】
【０００６】
しかし，従来の燃料電池システム用改質装置は，複数の燃料処理ユニットが容器タイプで分散配置されていた。このため，これら相互間の熱交換が直接的に行われず熱伝達の面で不利であり，システム全体の大きさをコンパクトにできないという問題点がある。
【０００７】
本発明は，上述の問題点を考慮したものであって，プレートタイプの構造で熱伝達効率を極大化させ，システム全体の体積を減らすことができる燃料電池システム用改質装置を提供する。
【０００８】
そこで，本発明は，上記問題に鑑みてなされたものであり，本発明の目的とするところは，熱伝達効率を極大化し，システム全体の体積を減らすこと可能な，新規かつ改良された燃料電池システム用改質装置を提供することにある。
【課題を解決するための手段】
【０００９】
上記課題を解決するために，本発明のある観点によれば，触媒層が収容される内部空間を有するプレートタイプの反応器本体を含み，反応器本体は，分離形成される複数のプレートと，プレートの間に形成され，プレートを一体に固定する接合部と，触媒投入のための開口部に結合されて，開口部をシールする閉口ユニットとを含む燃料電池システム用改質装置が提供される。
【００１０】
ここで，閉口ユニットは，溶接によって複数のプレートに固定することができる。
【００１１】
また，複数のプレートは，内部空間を形成するための凹部を有する第１金属プレートと，凹部をカバーし，第１金属プレートに密着するように配置される第２金属プレートとを含む。このとき，開口部は，凹部の周縁に沿って配置される第１金属プレートの側壁の一部を切開することにより形成することができる。閉口ユニットは，開口部の形状に対応するブロックにより形成され，開口部に嵌合するようにしてもよい。
【００１２】
一方，複数のプレートは，内部空間を形成するための複数のチャンネルを有する第１金属プレートと，複数のチャンネルをカバーし，第１金属プレートに密着する第２金属プレートとを含む。このとき，複数のチャンネルは，任意の間隔をおいて，第１金属プレートの，第２の金属プレートと対向する一面に配置される複数のリブによって形成され，開口部は，複数のチャンネルの一側端が開放するように形成することができる。閉口ユニットは，棒（バー）形状のブロックで形成され，開口部をカバーし，第１金属プレートおよび第２金属プレートに固定することができる。
【００１３】
また，相隣接するプレートの間に，プレートを接合させる金属薄板を介在させ，金属薄板を熱によって溶融することにより接合部を形成することもできる。
【００１４】
複数のプレートは，ステレンス鋼またはアルミニウムから形成することができる。また，金属薄板は，複数のプレートより溶融点の低い素材から形成することができる。さらに，触媒層は，内部空間に充填されたペレット状の触媒によって形成することができる。また，改質装置は，反応器本体を複数個備えるように構成してもよい。
【００１５】
このように，第１金属プレートおよび第２金属プレートを，ブレイジング方式で接合して形成された反応器本体の内部に，ペレット状の触媒を充填してプレートタイプの改質装置を構成することにより，全体的なシステムをコンパクトに実現することができる。さらに，積層構造を可能にすることによって，改質装置全体の熱伝達効率を向上させることができる。
【００１６】
また，ブレイジング方式によって反応器本体を形成した後，反応器本体の内部で触媒層を形成するので，プレートに対するブレイジング接合過程で，反応器本体の触媒層が熱によって剥離するなどの問題点を解決することができる。
【発明の効果】
【００１７】
以上説明したように本発明によれば，熱伝達効率を極大化し，システム全体の体積を減らすこと可能な燃料電池システム用改質装置を提供することができる。
【発明を実施するための最良の形態】
【００１８】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１９】
（第１の実施形態）
まず，本発明の第１の実施形態にかかる改質装置を使用する燃料電池システムについて説明する。ここで，図１は，本実施形態にかかる改質装置を使用する燃料電池システムを示すブロック図である。
【００２０】
図１に示すように，本実施形態にかかる燃料電池システム１００は，燃料を含む反応物を改質して水素を発生させ，この水素を酸素と電気化学的に反応させて電気エネルギーを発生させる高分子電解質形燃料電池（ＰＥＭＦＣ）方式を採用する。
【００２１】
このような燃料電池システム１００において，燃料は，メタノール，エタノールまたは天然ガス等の，水素を含む液状または気体状態からなる燃料を使用することが可能であるが，本実施形態における燃料は液状燃料である。
【００２２】
本実施形態にかかる燃料電池システム１００は，水素と酸素との反応によって電気エネルギーを発生させるスタック１０と，燃料を含む反応物を改質して水素を発生させ，発生した水素をスタック１０に供給する改質装置３０と，改質装置３０に燃料を供給する燃料供給源５０と，スタック１０に酸素を供給する空気供給源７０とを含んで構成される。
【００２３】
スタック１０は，電気エネルギーを発生させる最小単位の電気発生部１１を備える。電気発生部１１は，例えば，一般的な膜−電極アセンブリ（Ｍｅｍｂｒａｎｅ−Ｅｌｅｃｔｒｏｄｅ  Ａｓｓｅｍｂｌｙ：ＭＥＡ）を中心に配置し，その両面にセパレータ（「二極式プレート」ともいう）を密着して配置することにより構成することができる。
【００２４】
本実施形態では，最小単位の電気発生部１１を複数に備え，これらを連続的に配置することによって，電気発生部１１の集合体構造によるスタック１０を形成する。スタック１０の構成は，通常の高分子電解質形燃料電池のスタック構成でも可能であるので，本明細書ではその詳しい説明を省略する。
【００２５】
改質装置３０は，上述した反応物を化学的に変化させて，最終的に，燃料供給源５０によって提供される燃料を改質して水素を発生させる燃料処理ユニットとして構成される。この燃料処理ユニットは，熱エネルギーによる燃料の改質反応を通じて水素を発生させる改質反応器，燃料の酸化反応を通じて熱エネルギーを発生させる酸化反応器，および水素に含まれている一酸化炭素の濃度を低減させる一酸化炭素浄化器等を含むことができる。
【００２６】
燃料供給源５０は，改質装置３０に燃料を供給するために設けられる。燃料供給源５０は，燃料を貯蔵する燃料タンク５１と，燃料を排出させ，排出した燃料を改質装置３０に供給する燃料ポンプ５３とを含むことができる。
【００２７】
空気供給源７０は，予め設定されたポンピング圧力で空気を吸入して，吸入した空気をスタック１０に供給する空気ポンプ７１を含むことができる。なお，空気供給源は空気ポンプを備えることに限定されず，例えば，一般的な構造のファン（ｆａｎ）を備えるようにしてもよい。
【００２８】
次に，本実施形態にかかる改質装置３０を，図２および図３に基づいて詳細に説明する。ここで，図２は，本実施形態にかかる燃料電池システム用改質装置を示す斜視図である。図３は，図２に示す改質装置の断面図である。
【００２９】
本実施形態にかかる改質装置３０は，熱エネルギーによる燃料の改質反応を通じて，燃料から水素を発生させる燃料処理ユニットの改質反応器として備えられる。この改質装置３０は，図３に示すように，改質反応を促進させるための触媒層３８を内部に形成するプレートタイプの反応器本体４１を含む。
【００３０】
反応器本体４１は，図３に示すように，内部に所定の収容空間４３を有する略長方形（図２に示すように，ｘｙ平面の形状は，ｘ軸方向の長さがｙ軸方向の長さより長い長方形）の金属プレートからなる。収容空間４３には，例えばペレット状の触媒が充填されており，触媒層３８を形成する。
【００３１】
より具体的には，反応器本体４１は，収容空間４３に触媒を充填させるための開口部４５と，開口部４５を実質的に閉口させるための閉口ユニット４７とを備える。
【００３２】
開口部４５は，例えば，収容空間４３と連通する孔として反応器本体４１の一側に形成される。具体的には，開口部４５は，図４に示したように，反応器本体４１の一側面に形成されて，閉口ユニット４７を挿入して嵌合させることの可能な開放端４６形状に形成される。このような開口部４５は，図４に示すように，反応器本体４１の側面に単一の孔で形成することができるが，本発明は限定されず，例えば，反応器本体４１の側面に複数の孔で形成することもできる。
【００３３】
閉口ユニット４７は，触媒投入口である開口部４５と形態上嵌合可能な閉口ブロック４８により形成することができる。閉口ブロック４８は，触媒投入口である開口部４５の開放端４６を介して挿入されて開口部４５をシールする。
【００３４】
このような反応器本体４１において，閉口ブロック４８を開口部４５の開放端４６に接合させるために溶接した溶接部４９を設けることも可能である。溶接部４９は，例えば，閉口ブロック４８の周縁端と開口部４５の開放端４６とをレーザー溶接して形成することができる。溶接部４９は，閉口ブロック４８の周縁端と開放端４６との間の隙間をシーリングすると共に，閉口ブロック４８を反応器本体４１に一体に接合させる機能を果たす。
【００３５】
このように，本実施形態では，反応器本体４１の触媒投入口である開口部４５を介してペレット状の触媒を収容空間４３へ充填して触媒層３８を形成し，この触媒投入口である開口部４５に閉口ブロック４８を挿入して，閉口ブロック４８と触媒投入口である開口部４５の開放端４６とをレーザー溶接することによって改質装置３０を形成している。
【００３６】
このとき，改質装置３０は，燃料を収容空間４３へ注入するための注入部３６と，触媒層３８による燃料の改質反応を通じて生成される水素を排出するための排出部３７とを有する。
【００３７】
上記のように構成される反応器本体４１の構造をより具体的に説明すれば，反応器本体４１は，ペレット状の触媒を実質的に収容する第１金属プレート３１と，第１金属プレート３１に密着配置される第２金属プレート３２と，第１金属プレート３１と第２金属プレート３２を一体に接合させる接合部３５とを含む。なお，図５は，反応器本体の構成および製造方法を説明するための分解斜視図である。
【００３８】
図５に示すように，第１金属プレート３１は，収容空間４３に相応する凹部３３と，開口部４５に相応する開放端４６とを有する。
【００３９】
凹部３３は，第１金属プレート３１の内部に形成された窪みであり，略四角形状に形成される。開口部４５は，凹部３３と連通するように，第１金属プレート３１の側壁３１ａの一部分を切開することによって形成される。ここで，開口部４５は，閉口ブロック４８と嵌合する形状に形成される。
【００４０】
第２金属プレート３２は，第１金属プレート３１に相応する大きさに形成され，後述する接合部３５によって第１金属プレート３１と接合される。第１金属プレート３１と第２金属プレート３２との実質的な接合は，第２金属プレート３２が第１金属プレート３１の側壁３１ａの上面に当接するようになされ，その接合構造によって，開口部４５は実質的な触媒投入口を形成する。
【００４１】
接合部３５は，第１金属プレート３１と第２金属プレート３２との密着の部分に配置され，溶融形成される。これにより，第１金属プレート３１および第２金属プレート３２を一体に結合させることができる。
【００４２】
接合部３５は，第１金属プレート３１の側壁３１ａの形状に相応する金属薄板３５ａからなり，所定の熱によって金属薄板３５ａに溶融／固着することにより形成する。このとき，金属薄板３５ａは，第１金属プレート３１および第２金属プレート３２より溶融点の低い通常の金属素材で形成することができる。
【００４３】
このように，本実施形態では，所定の金属薄板または金属フィルムを溶融させて，二つ以上の母材を互いに接合させるブレイジング（ｂｒａｚｉｎｇ）接合方式を通じて複数の金属プレートを接合させて，改質装置を形成している。
【００４４】
次に，改質装置の製造方法について説明する。
【００４５】
まず，凹部３３および開口部４５を形成している第１金属プレート３１，第１金属プレート３１に相応する大きさの第２金属プレート３２，および開口部４５に相応する形状を有する閉口ブロック４８を用意する。
【００４６】
次いで，第１金属プレート３１の側壁３１ａの上面に金属薄板３５ａを載置した後，第２金属プレート３２を第１金属プレート３１にそろえて，これらを一次的に結合する。
【００４７】
さらに，ブレイジング接合方式を利用して，第１金属プレート３１と第２金属プレート３２とを一体に接合させる。つまり，金属薄板３５ａを間において，第１金属プレート３１と第２金属プレート３２とを密着加圧した状態で，第１金属プレート３１と第２金属プレート３２とを所定の温度まで加熱する。そうすると，金属薄板３５ａは，第１金属プレート３１と第２金属プレート３２との間の密着部分で熱によって溶融し，第１金属プレート３１と第２金属プレート３２との密着部分を接合する（接合部３５を形成）。これにより，第１金属プレート３１および第２金属プレート３２が接合部３５によって一体に接合され，第１金属プレート３１の凹部３３による収容空間４３，および触媒投入口である開口部４５を備えた反応器本体４１が形成される。
【００４８】
その後，開口部４５を介して，ペレット状の触媒を収容空間４３へ投入して触媒層３８を形成する。そして，閉口ブロック４８を開口部４５に挿入した状態で，閉口ブロック４８の周縁端と触媒投入口である開口部４５の開放端４６とをレーザー溶接して溶接部４９を形成することにより，本実施形態にかかる改質装置３０が形成される。
【００４９】
すなわち，本実施形態によれば，ブレイジング方式で第１金属プレート３１および第２金属プレート３２を接合して，収容空間４３および開口部４５を備えた反応器本体４１を形成し，開口部４５を介して収容空間４３に触媒を充填形成した後，開口部４５をシーリングすることによって改質装置３０が構成される。
【００５０】
このような改質装置３０の製造過程では，触媒層を反応器本体内部にコーティング方式で形成しなくてもよいので，コーティング方式によって触媒層を形成する従来の改質装置に比べて，触媒層が反応器本体から離脱することを防止することができる。これは，コーティング方式による触媒層は熱処理過程で脆弱な面を有しているからである。
【００５１】
改質装置３０を採用した燃料電池システム１００は，その作用時に燃料ポンプ５１を稼動させて，反応器本体４１の収容空間４３に燃料を供給する。これにより，燃料が収容空間４３の内部を流入しながら触媒層３８による改質反応を起こすので，改質装置３０は燃料の改質反応によって水素を発生させることができる。したがって，スタック１０では，改質装置３０から供給される水素と空気ポンプ７１から供給される酸素との反応により，予め設定された容量の電気エネルギーが生成される。
【００５２】
上記のように形成される反応器本体は，図６に示すように，複数を積層させて改質装置を構成することができる。図６では，３個の反応器本体４１Ａ，４１Ｂ，４１Ｃが密着して積層された構造を有する改質装置３０Ａを示している。
【００５３】
この改質装置３０Ａにおいて，３個の反応器本体４１Ａ，４１Ｂ，４１Ｃは同じ構造に形成することができる。ここで，中央に配置された反応器本体４１Ａを第１反応器本体，第１反応器本体の上側に配置された反応器本体４１Ｂを第２反応器本体，第１反応器本体の下側に配置された反応器本体４１Ｃを第３反応器本体とすれば，第２反応器本体４１Ｂは，燃料と酸素との酸化反応による予め設定された温度範囲の熱エネルギーを発生し，この発生した熱エネルギーを第１反応器本体４１Ａに提供する燃料処理ユニットの酸化反応器として備えられる。
【００５４】
また，第３反応器本体４１Ｂは，第１反応器本体４１Ａから発生する水素に含まれている一酸化炭素と，別途に供給される酸素との酸化反応を通じて，一酸化炭素の濃度を低減させる燃料処理ユニットの一酸化炭素低減機（通常，「ＰＲＯＸ反応器」という）として備えることができる。
【００５５】
以上，本発明の第１の実施形態にかかる改質装置について説明した。次に，本発明の第２の実施形態にかかる改質装置について説明する。
【００５６】
（第２の実施形態）
図７は，本発明の第２の実施形態にかかる改質装置を示す斜視図であり，図８は，図７に示す改質装置の部分分解斜視図である。また，図９は，図７に示す改質装置の断面図である。
【００５７】
図７〜図９を参照すれば，本実施形態にかかる改質装置８０は，第１の実施形態にかかる改質装置と基本的な構成は同一にしている。そこで，以下では，第１の実施形態にかかる改質装置との差異点を中心に説明する。
【００５８】
まず，本実施形態にかかる改質装置８０は，反応器本体８１の第１金属プレート８２の内部に形成される，触媒を収容するための収容空間を，複数のチャンネル８４により形成している。このチャンネル８４は，第１金属プレート８２に任意の間隔をおいて形成される複数のリブ８６によって形成され，チャンネル８４の一端が開放されるように触媒を投入するための開口部８４ａが形成される。
【００５９】
本実施形態において，触媒層８８は，図９に示すように，チャンネル８４内にリブ８６の側面および第１金属プレート８２の上面に形成される。
【００６０】
また，第２金属プレート９２は，第１金属プレート８２の上に配置され，チャンネル８４をカバーしながら接合部９０を介して第１金属プレート８２と結合される。ここで，第２金属プレート９２は，第１金属プレート８２より大きく形成される。
【００６１】
つまり，第１金属プレート８２の一側端には，開口部８４ａをカバーしながらこの第１金属プレート８２に固定設置される閉口ユニット９４が配置される。このとき，本実施形態にかかるユニット９４は，第１金属プレート８２，第２金属プレート９２の短手方向（ｙ軸方向）に沿って長く形成された棒形状のブロック９６に形成される。
【００６２】
本実施形態でも，ブロック９６は，第１金属プレート８２，第２金属プレート９２にレーザー溶接などの方法を通じて固定される。これにより，ブロック９６と第１金属プレート８２および第２金属プレート９２との間には，溶接部９８が形成される。
【００６３】
本実施形態において，第２金属プレート９２の大きさは，第１金属プレート８２とブロック９６の大きさを考慮して設定される。ブロック９６と対向する側のリブ８６の先端は第１金属プレート８２の先端より内側に配置されるように形成される。そして，第１金属プレート８２，第２金属プレート９２およびブロック９６を組み合わせて反応器本体８１を構成した後，各チャンネル８４が連通できるようにする。
【００６４】
このような反応器本体８１もまた，図１０に示すように，第１金属プレート８２の上にリブ８６の上面および金属プレート８２の枠組部の上面に位置する接合部９０の金属薄板９０ａにより，第１金属プレート８２および第２金属プレート９２を接合させる。
【００６５】
ここで，金属薄板９０ａの熱処理によるブレイジング方式の接合は，上述の第１の実施形態と同様に行われ，第１金属プレート８２および第２金属プレート９２が接合された後，触媒が開口部８４ａを介してチャンネル８４に提供されて，触媒層８８が形成される。
【００６６】
本実施例における他の構成的な特徴は，上述の第１の実施形態と同様に行われるので，その詳細な説明は省略する。
【００６７】
さらに，図１１に示すように，本実施形態では，上記のように形成される反応器本体９８Ａ，９８Ｂ，９８Ｃを複数個備えて，改質装置８１Ａを形成することもできる。
【００６８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６９】
本発明は，燃料電池システムに適用可能であり，特に，燃料電池システムの，燃料から水素を発生させるプレートタイプの改質装置に適用可能である。
【図面の簡単な説明】
【００７０】
【図１】本発明の第１の実施形態にかかる燃料電池システムを概略的に示したブロック図である。
【図２】同実施形態にかかる燃料電池システム用改質装置を示す斜視図である。
【図３】図２に示す改質装置の断面図である。
【図４】図２に示す改質装置の部分分解斜視図である。
【図５】図２に示す改質装置の反応器本体の構成および製造方法を説明するための分解斜視図である。
【図６】同実施形態にかかる燃料電池システム用改質装置の構成の変形例を概略的に示す断面図である。
【図７】本発明の第２の実施形態にかかる燃料電池システム用改質装置を示す斜視図である。
【図８】図７に示す改質装置の部分分解斜視図である。
【図９】図７に示す改質装置の断面図である。
【図１０】図７に示す改質装置の反応器本体の構成および製造方法を説明するための分解斜視図である。
【図１１】同実施形態にかかる燃料電池システム用改質装置の構成の変形例を概略的に示す断面図である。
【符号の説明】
【００７１】
１０            スタック
１１            電気発生部
３０，３０Ａ，８０，８１Ａ  改質装置
３１，８２      第１金属プレート
３１ａ          第１金属プレートの側壁
３２，９２      第２金属プレート
３３            凹部
３５，９０      接合部
３５ａ，９０ａ  金属薄板
３６            注入部
３７            排出部
３８            触媒層
４１，４１Ａ，４１Ｂ，４１Ｃ，８１，９８Ａ，９８Ｂ，９８Ｃ  反応器本体
４３            収容空間
４５，８４ａ    開口部
４６            開放端
４７，９４      閉口ユニット
４８，９６      閉口ブロック
４９，９８      溶接部
５０            燃料供給源
５１            燃料タンク
５３            燃料ポンプ
７０            空気供給源
７１            空気ポンプ
８４            チャンネル
８６            リブ
１００          燃料電池システム
【図１】
2006294624.tif 000003
【図２】
2006294624.tif 000004
【図３】
2006294624.tif 000005
【図４】
2006294624.tif 000006
【図５】
2006294624.tif 000007
【図６】
2006294624.tif 000008
【図７】
2006294624.tif 000009
【図８】
2006294624.tif 000010
【図９】
2006294624.tif 000011
【図１０】
2006294624.tif 000012
【図１１】
2006294624.tif 000013